(57)【要約】      （修正有）【課題】組み立ての容易化を図りつつ、箱体に隙間が形成されることを抑制できる箱用シートを提供する。【解決手段】箱用シートは、左右方向の一方側から他方側に連接され、四角筒状に組み立てられる第１長さ面パネル１、第１幅面パネル２、第２長さ面パネル３及び第２幅面パネル４と、一対の長さ面パネル１、３の上下方向一方側の端縁から延出する一対の外フラップ５ａ、５ｂ、及び一対の幅面パネルの上記一方側の端縁から延出する一対の内フラップ６ａ、６ｂとを備え、箱型に組立可能な箱用シートであって、内フラップ及びこの内フラップに隣接する外フラップの基端部５ｃ、５ｄ、６ｃ、６ｄ同士が、幅面パネル及び長さ面パネル間の境界線から連続して延びる直線状のスリット１１ａ〜１１ｃによって区画されており、スリットが、内フラップ及び外フラップの基端側から先端側に向けて、このスリットによって区画される外フラップ側に傾斜している。【選択図】図１
0003221990.tif 000002
【実用新案登録請求の範囲】
【請求項１】
左右方向の一方側から他方側に連接され、四角筒状に組み立てられる第１長さ面パネル、第１幅面パネル、第２長さ面パネル及び第２幅面パネルと、
上記一対の長さ面パネルの上下方向一方側の端縁から延出する一対の外フラップ、及び上記一対の幅面パネルの上記一方側の端縁から延出する一対の内フラップと
を備え、箱型に組立可能な箱用シートであって、
上記内フラップ及びこの内フラップに隣接する上記外フラップの基端部同士が、上記幅面パネル及び長さ面パネル間の境界線から連続して延びる直線状のスリットによって区画されており、
上記スリットが、上記内フラップ及び外フラップの基端側から先端側に向けて、このスリットによって区画される上記外フラップ側に傾斜している箱用シート。
【請求項２】
上記スリットよりも先端側で上記内フラップ及び外フラップを区画する上記スリットよりも幅広かつ矩形状の溝を有し、
上記スリットが、上記溝の底部のこの溝によって区画される外フラップ側の角部に接続されている請求項１に記載の箱用シート。
【請求項３】
上下方向を基準とする上記スリットの両端間の距離Ｄ１が１０ｍｍ以上３０ｍｍ以下である請求項１又は請求項２に記載の箱用シート。
【請求項４】
上下方向を基準とする上記スリットの傾斜角度が５°以上２０°以下である請求項１、請求項２又は請求項３に記載の箱用シート。
【請求項５】
上記一対の外フラップの上下方向長さをＬ［ｍｍ］、上記第１幅面パネルの左右方向長さをＷ［ｍｍ］、左右方向を基準とする上記スリットの両端間の距離をＤ２［ｍｍ］とした場合、下記式（１）及び（２）を満たす請求項１から請求項４のいずれか１項に記載の箱用シート。
２／Ｗ＜Ｌ≦２／Ｗ＋Ｄ２×２・・・（１）
１≦Ｄ２≦３・・・（２）
【考案の詳細な説明】
【技術分野】
【０００１】
本考案は、箱用シートに関する。
【背景技術】
【０００２】
物品の保管、運搬等に段ボールシート等から組み立てられる箱体が広く用いられている。中でも、左右方向に交互に連接される一対の長さ面パネル及び一対の幅面パネルを四角筒状に接続し、一対の幅面パネルの下縁から延出する一対の底内フラップ及び一対の長さ面パネルの下縁から延出する一対の底外フラップを内側に折り曲げて底部を形成し、一対の幅面パネルの上縁から延出する一対の蓋内フラップ及び一対の長さ面パネルの上縁から延出する一対の蓋外フラップを内側に折り曲げて蓋部を形成することで組み立てられるＡ式（いわゆるミカン箱タイプ）の箱体が最も多く利用されている。
【０００３】
通常、上記段ボールシートにおける各フラップは、矩形状の溝によって区画される。しかしながら、この段ボールシートを組み立ててなる箱体は、隣接するフラップ間に形成される隙間に起因して蓋部及び底部の４隅に隙間が生じる。
【０００４】
そのため、今日では、隣接するフラップの基端部同士を上記溝よりも細幅のスリット（切込み）によって区画する構成のものが発案されている（実用新案登録第３１７２９０７号公報参照）。
【先行技術文献】
【特許文献】
【０００５】
【特許文献１】実用新案登録第３１７２９０７号公報
【考案の概要】
【考案が解決しようとする課題】
【０００６】
上記公報に記載の段ボールシートは、隣接するフラップ同士が、矩形状の切溝と、この切溝よりも細幅のスリット（切込）とで区画されている。この段ボールシートは、隣接するフラップの基端部同士をスリットによって区画することで、組立状態で蓋部及び底部の４隅に隙間が形成されることを抑制することができる。
【０００７】
しかしながら、この段ボールシートは、箱体の蓋部及び底部を組み立てる際に内フラップの基端部と外フラップの基端部とが干渉し合う場合がある。そのため、この段ボールシートは、箱体に容易に組み立てられるよう更なる改良の余地がある。
【０００８】
本考案は、このような不都合に鑑みてなされたものであり、組み立ての容易化を図りつつ、箱体に隙間が形成されることを抑制できる箱用シートを提供することを課題とする。
【課題を解決するための手段】
【０００９】
上記課題を解決するためになされた本考案に係る箱用シートは、左右方向の一方側から他方側に連接され、四角筒状に組み立てられる第１長さ面パネル、第１幅面パネル、第２長さ面パネル及び第２幅面パネルと、上記一対の長さ面パネルの上下方向一方側の端縁から延出する一対の外フラップ、及び上記一対の幅面パネルの上記一方側の端縁から延出する一対の内フラップとを備え、箱型に組立可能な箱用シートであって、上記内フラップ及びこの内フラップに隣接する上記外フラップの基端部同士が、上記幅面パネル及び長さ面パネル間の境界線から連続して延びる直線状のスリットによって区画されており、上記スリットが、上記内フラップ及び外フラップの基端側から先端側に向けて、このスリットによって区画される上記外フラップ側に傾斜している。
【００１０】
当該箱用シートは、内フラップ及びこの内フラップに隣接する外フラップの基端部同士が、幅面パネル及び長さ面パネル間の境界線から連続して延びる直線状のスリットによって区画されているので、箱体の組み立てにおいて上記一対の内フラップ及び一対の外フラップをこの順で内側に折り曲げた状態で、これらのフラップ間に隙間が生じ難い。また、当該箱用シートは、上記一対の長さ面パネル及び一対の幅面パネルを無端状に接続した後に四角筒状に広げる際や、上記一対の内フラップ及び一対の外フラップを内側に折り曲げる際に、これらのフラップの基端部同士が干渉し難い。従って、当該箱用シートは、組み立ての容易化を図りつつ、箱体に隙間が形成されることを抑制できる。
【００１１】
上記スリットよりも先端側で上記内フラップ及び外フラップを区画する上記スリットよりも幅広かつ矩形状の溝を有し、上記スリットが、上記溝の底部のこの溝によって区画される外フラップ側の角部に接続されているとよい。このように、上記スリットよりも先端側で上記内フラップ及び外フラップを区画する上記スリットよりも幅広かつ矩形状の溝を有し、上記スリットが、上記溝の底部のこの溝によって区画される外フラップ側の角部に接続されていることによって、隣接する上記フラップ同士の干渉をより確実に抑制することができる。
【００１２】
上下方向を基準とする上記スリットの両端間の距離Ｄ１としては１０ｍｍ以上３０ｍｍ以下が好ましい。このように、上下方向を基準とする上記スリットの両端間の距離Ｄ１が上記範囲内であることによって、箱体に隙間が形成されることを十分に抑制しつつ、組み立ての容易化を促進することができる。
【００１３】
上下方向を基準とする上記スリットの傾斜角度としては５°以上２０°以下が好ましい。このように、上下方向を基準とする上記スリットの傾斜角度が上記範囲内であることによって、箱体に隙間が形成されることを十分に抑制しつつ、組み立ての容易化を促進することができる。
【００１４】
上記一対の外フラップの上下方向長さをＬ［ｍｍ］、上記第１幅面パネルの左右方向長さをＷ［ｍｍ］、左右方向を基準とする上記スリットの両端間の距離をＤ２［ｍｍ］とした場合、下記式（１）及び（２）を満たすとよい。
２／Ｗ＜Ｌ≦２／Ｗ＋Ｄ２×２・・・（１）
１≦Ｄ２≦３・・・（２）
【００１５】
これにより、箱体の組み立て容易化を図りつつ、上記一対の内フラップと上記一対の外フラップとの間に加え、上記一対の外フラップの先端同士の間に隙間が形成されるのを十分に抑制することができる。
【００１６】
なお、本考案において、「左右方向」とは、箱用シートを組み立ててなる箱体の想定される一般的な使用態様における水平方向を意味し、「上」及び「下」とは、想定される一般的な使用態様における上下を意味するが、上記箱体の使用時の向きを制限することを企図するものではない。「内」とは、箱用シートを組み立ててなる箱体における内をいい、「外」とは、箱用シートを組み立ててなる箱体における外をいう。
【考案の効果】
【００１７】
以上説明したように、本考案に係る箱用シートは、組み立ての容易化を図りつつ、箱体に隙間が形成されることを抑制できる。
【図面の簡単な説明】
【００１８】
【図１】図１は、本考案の一実施形態に係る箱用シートの内面側を示す模式的平面図である。
【図２】図２は、図１の箱用シートの組立手順を示す模式的平面図である。
【図３】図３は、図１の箱用シートの図２の次の組立手順を示す模式的斜視図である。
【図４】図４は、図１の箱用シートを組み立ててなる箱体の模式的平面図である。
【考案を実施するための形態】
【００１９】
以下、適宜図面を参照しつつ、本考案の実施の形態を詳説する。
【００２０】
［箱用シート］
図１の箱用シートは、１枚のシートからなる。当該箱用シートは、左右方向の一方側から他方側に連接され、四角筒状に組み立てられる第１長さ面パネル１、第１幅面パネル２、第２長さ面パネル３及び第２幅面パネル４と、一対の長さ面パネル１，３の上縁から延出する一対の蓋外フラップ（第１長さ面パネル１の上縁から延出する第１蓋外フラップ５ａ、及び第２長さ面パネル３の上縁から延出する第２蓋外フラップ５ｂ）と、一対の幅面パネル２，４の上縁から延出する一対の蓋内フラップ（第１幅面パネル２の上縁から延出する第１蓋内フラップ６ａ、及び第２幅面パネル４の上縁から延出する第２蓋内フラップ６ｂ）と、一対の長さ面パネル１，３の下縁から延出する一対の底外フラップ（第１長さ面パネル１の下縁から延出する第１底外フラップ７ａ、及び第２長さ面パネル３の下縁から延出する第２底外フラップ７ｂ）と、一対の幅面パネル２，４の下縁から延出する一対の底内フラップ（第１幅面パネル２の下縁から延出する第１底内フラップ８ａ、及び第２幅面パネル４の下縁から延出する第２底内フラップ８ｂ）とを備える。第１長さ面パネル１、第１幅面パネル２、第２長さ面パネル３及び第２幅面パネル４は、左右方向の一方側から他方側にこの順で連接されている。また、当該箱用シートは、第１長さ面パネル１の第１幅面パネル２との連接側と反対側の側縁に連接される糊代９を備える。なお、図１において、太い実線はシートを切断して形成される切断線を示し、細い実線はシートの片面を筋押しして形成される罫線を示す。
【００２１】
当該箱用シートは、箱型に組立可能である。当該箱用シートの組立手順について説明する。
【００２２】
まず、第１長さ面パネル１を第１幅面パネル２の内面側に折り重ね、第２幅面パネル４を第２長さ面パネル３の内面側に折り重ねる。そして、糊代９を第２幅面パネル４の左右方向他方側（第２長さ面パネル３との連接側と反対側）の内面に貼着する。これにより、図２に示すように、一対の長さ面パネル１，３及び一対の幅面パネル２，４が無端状に接続される。当該箱用シートは、この状態でユーザ（箱体の使用者）に提供される。第２幅面パネル４への糊代９の貼着は、例えば接着剤、ステープラー等を用いて行うことができる。
【００２３】
次に、図３に示すように、無端状に接続された一対の長さ面パネル１，３及び一対の幅面パネル２，４を四角筒状に広げたうえ、一対の底内フラップ８ａ，８ｂを内側に略直角に折り曲げ、続いて一対の底外フラップ７ａ，７ｂを内側に略直角に折り曲げることで底部を組み立てる。さらに、図４に示すように、一対の蓋内フラップ６ａ，６ｂを内側に略直角に折り曲げたうえ、一対の蓋外フラップ５ａ，５ｂを内側に略直角に折り曲げることで蓋部を組み立てる。これによりＡ式（いわゆるミカン箱タイプ）の箱体が組み立てられる。なお、一対の底外フラップ７ａ，７ｂの先端同士の突き合わせ部及び一対の蓋外フラップ５ａ，５ｂの先端同士の突き合わせ部には、例えば封函テープが貼着される。
【００２４】
当該箱用シートに用いられるシートとしては、当該箱用シートを組み立ててなる箱体の形状を維持できる程度の強度を有する限り特に限定されるものではなく、例えば段ボールシート、ボール紙等の紙製シート、合成樹脂製シート、紙製シートと合成樹脂製シートとの積層シート等が挙げられる。中でも、加工性、衝撃吸収性、取扱性、リサイクル性、経済性等の点から紙製シートが好ましく、座屈強度を高めやすい段ボールシートが特に好ましい。当該箱用シートを形成する段ボールとしては、原紙を波形状に形成した中芯をライナーに貼り合わせたものであって、例えば波形状に形成された中芯を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２５】
一対の長さ面パネル１，３は矩形状かつ略同一形状に形成されている。一対の幅面パネル２，４は矩形状かつ略同一形状に形成されている。一対の長さ面パネル１，３の左右方向長さは、一対の幅面パネル２，４の左右方向長さよりも大きい。一対の長さ面パネル１，３及び一対の幅面パネル２，４の上下方向長さは略等しい。
【００２６】
一対の長さ面パネル１，３の左右方向長さとしては、箱体内に収容する物品の大きさ等に基づいて適宜設定可能であるが、例えば１５ｃｍ以上５０ｃｍとすることができる。一対の幅面パネル２，４の左右方向長さとしては、箱体内に収容する物品の大きさ等に基づいて適宜設定可能であるが、例えば１０ｃｍ以上４０ｃｍ以下とすることができる。一対の長さ面パネル１，３及び一対の幅面パネル２，４の上下方向長さとしては、箱体内に収容する物品の大きさ等に基づいて適宜設定可能であるが、例えば５ｃｍ以上２０ｃｍ以下とすることができる。
【００２７】
一対の蓋外フラップ５ａ，５ｂは矩形状かつ略同一形状に形成されている。一対の蓋内フラップ６ａ、６ｂは、矩形状かつ略同一形状に形成されている。一対の蓋外フラップ５ａ，５ｂの上下方向長さＬは、一対の蓋内フラップ６ａ，６ｂの上下方向長さと同じである。
【００２８】
蓋内フラップ６ａ，６ｂ及びこの蓋内フラップ６ａ，６ｂに隣接する蓋外フラップ５ａ，５ｂの基端部同士は、幅面パネル２，４及び長さ面パネル１，３間の境界線から連続して延びる直線状のスリット１１ａ〜１１ｃによって区画されている。具体的には、第１蓋内フラップ６ａの基端部６ｃと第１蓋外フラップ５ａの基端部５ｃとは、第１幅面パネル２と第１長さ面パネル１との間の境界線から連続して延びる直線状の第１スリット１１ａによって区画され、第１蓋内フラップ６ａの基端部６ｃと第２蓋外フラップ５ｂの基端部５ｄとは、第１幅面パネル２と第２長さ面パネル３との間の境界線から連続して延びる直線状の第２スリット１１ｂによって区画され、第２蓋内フラップ６ｂの基端部６ｄと第２蓋外フラップ５ｂの基端部５ｄとは、第２幅面パネル４と第２長さ面パネル３との間の境界線から連続して延びる直線状の第３スリット１１ｃによって区画されている。スリット１１ａ〜１１ｃは、蓋内フラップ６ａ，６ｂの基端側から先端側に向けて、スリット１１ａ〜１１ｃによって区画される蓋外フラップ５ａ，５ｂ側に傾斜している。
【００２９】
当該箱用シートは、蓋内フラップ６ａ，６ｂの基端部６ｃ，６ｄ及びこの蓋内フラップ６ａ，６ｂに隣接する蓋外フラップ５ａ，５ｂの基端部５ｃ，５ｄが、幅面パネル２，４及び長さ面パネル１，３間の境界線から連続して延びる直線状のスリット１１ａ〜１１ｃによって区画されているので、図４に示すように一対の蓋内フラップ６ａ，６ｂ及び一対の蓋外フラップ５ａ，５ｂをこの順で内側に折り曲げた状態で、一対の蓋内フラップ６ａ，６ｂの基端部６ｃ，６ｄと一対の蓋外フラップ５ａ，５ｂの基端部５ｃ，５ｄとの間（つまり、箱体の蓋部の４隅）に隙間が生じ難い。また、当該箱用シートは、一対の長さ面パネル１，３及び一対の幅面パネル２，４を無端状に接続した後に四角筒状に広げる際や、一対の蓋内フラップ６ａ，６ｂ及び一対の蓋外フラップ５ａ，５ｂを内側に折り曲げる際に、一対の蓋内フラップ６ａ，６ｂの基端部６ｃ，６ｄと一対の蓋外フラップ５ａ，５ｂの基端部５ｃ，５ｄとが干渉し難い。従って、当該箱用シートは、組み立ての容易化を図りつつ、箱体に隙間が形成されることを抑制できる。
【００３０】
当該箱用シートは、スリット１１ａ〜１１ｃよりも先端側（蓋内フラップ６ａ，６ｂ及び蓋外フラップ５ａ，５ｂの延出方向先端側）で蓋内フラップ６ａ，６ｂ及び蓋外フラップ５ａ，５ｂを区画するスリット１１ａ〜１１ｃよりも幅広かつ矩形状の溝１２ａ〜１２ｃを有する。溝１２ａ〜１２ｃは、上下方向を長手方向とする細長状である。スリット１１ａ〜１１ｃの先端（蓋内フラップ６ａ，６ｂ及び蓋外フラップ５ａ，５ｂの延出方向先端側の端部）は、溝１２ａ〜１２ｃの底部のこの溝１２ａ〜１２ｃによって区画される蓋外フラップ５ａ，５ｂ側の角部に接続されている。
【００３１】
当該箱用シートは、スリット１１ａ〜１１ｃが、溝１２ａ〜１２ｃの底部のこの溝１２ａ〜１２ｃによって区画される蓋外フラップ５ａ，５ｂ側の角部に接続されていることによって、隣接するフラップ同士の干渉をより確実に抑制することができる。つまり、この構成によると、蓋内フラップ６ａ，６ｂの基端部６ｃ，６ｄの左右方向の端部に、スリット１１ａ〜１１ｃ及び溝１２ａ〜１２ｃによって区画され、蓋内フラップ６ａ，６ｂの左右方向外側に突出する突片１３ａ〜１３ｃが形成される。この突片１３ａ〜１３ｃは、一対の長さ面パネル１，３及び一対の幅面パネル２，４を無端状に接続された状態（図２の状態）から四角筒状に広げる際に、蓋外フラップ５ａ，５ｂの側縁の外側に配置されやすい。そのため、当該箱用シートは、図３に示すように、一対の長さ面パネル１，３及び一対の幅面パネル２，４を四角筒状に広げた状態で一対の蓋外フラップ５ａ，５ｂ及び一対の蓋内フラップ６ａ，６ｂの基端部５ｃ，５ｄ，６ｃ，６ｄ同士が干渉し難い。また、当該箱用シートは、スリット１１ａ〜１１ｃの先端が、溝１２ａ〜１２ｃの上記角部に接続されていることで、一対の蓋外フラップ５ａ，５ｂの基端部５ｃ，５ｄの左右方向の端部が、基端側から先端側に向けて蓋外フラップ５ａ，５ｂの左右方向中央側に傾斜する。そのため、当該箱用シートは、一対の長さ面パネル１，３及び一対の幅面パネル２，４を四角筒状に広げた状態から一対の蓋内フラップ６ａ，６ｂを内側に折り曲げる際に、一対の蓋外フラップ５ａ，５ｂ及び一対の蓋内フラップ６ａ，６ｂの基端部５ｃ，５ｄ，６ｃ，６ｄ同士が干渉し難い。
【００３２】
上下方向を基準とするスリット１１ａ〜１１ｃの両端間の距離Ｄ１の下限としては、１０ｍｍが好ましく、１２ｍｍがより好ましい。一方、上記距離Ｄ１の上限としては、３０ｍｍが好ましく、２０ｍｍがより好ましい。上記距離Ｄ１が上記下限に満たないと、箱体の蓋部の４隅に隙間が生じるのを十分に抑制できないおそれがある。逆に、上記距離Ｄ１が上記上限を超えると、箱体の組立時に一対の蓋外フラップ５ａ，５ｂ及び一対の蓋内フラップ６ａ，６ｂの基端部５ｃ，５ｄ，６ｃ，６ｄ同士が干渉しやすくなるおそれがある。
【００３３】
上下方向を基準とするスリット１１ａ〜１１ｃの傾斜角度αの下限としては５°が好ましく、８°がより好ましい。一方、上記傾斜角度αの上限としては、２０°が好ましく、１５°がより好ましい。上記傾斜角度αが上記下限に満たないと、一対の長さ面パネル１，３及び一対の幅面パネル２，４を四角筒状に広げる際に、一対の蓋外フラップ５ａ，５ｂ及び一対の蓋内フラップ６ａ，６ｂの基端部５ｃ，５ｄ，６ｃ，６ｄ同士が干渉しやすくなるおそれがある。逆に、上記傾斜角度αが上記上限を超えると、一対の長さ面パネル１，３及び一対の幅面パネル２，４を四角筒状に広げた状態から一対の蓋内フラップ６ａ，６ｂを内側に折り曲げる際に、一対の蓋外フラップ５ａ，５ｂ及び一対の蓋内フラップ６ａ，６ｂの基端部５ｃ，５ｄ，６ｃ，６ｄ同士が干渉しやすくなるおそれがある。
【００３４】
一対の蓋外フラップ５ａ，５ｂの上下方向長さをＬ［ｍｍ］、第１幅面パネル２の左右方向長さをＷ［ｍｍ］、左右方向を基準とするスリット１１ａ〜１１ｃの両端間の距離をＤ２［ｍｍ］とした場合、下記式（１）及び（２）を満たすことが好ましい。
２／Ｗ＜Ｌ≦２／Ｗ＋Ｄ２×２・・・（１）
１≦Ｄ２≦３・・・（２）
【００３５】
これにより、当該箱用シートは、箱体の組み立て容易化を図りつつ、一対の蓋内フラップ６ａ，６ｂと一対の蓋外フラップ５ａ，５ｂとの間に加え、一対の蓋外フラップ５ａ，５ｂの先端同士の間に隙間が形成されるのを十分に抑えることができる。
【００３６】
一対の蓋外フラップ５ａ，５ｂの基端縁を基準として、一対の底外フラップ７ａ，７ｂは一対の蓋外フラップ５ａ，５ｂと線対称の構成を有する。一対の蓋内フラップ６ａ，６ｂの基端縁を基準として、一対の底内フラップ８ａ，８ｂは一対の蓋内フラップ６ａ，６ｂと線対称の構成を有する。そのため、一対の底内フラップ８ａ，８ｂ及び底内フラップ８ａ，８ｂに隣接する底外フラップ７ａ，７ｂの基端部同士を区画するスリット、このスリットの先端側で底内フラップ８ａ，８ｂ及び底外フラップ７ａ，７ｂを区画する溝の具体的構成は、上述のスリット１１ａ〜１１ｃ及び溝１２ａ〜１２ｃと同様である。
【００３７】
なお、第１蓋外フラップ５ａの基端部５ｃ及び第１底外フラップ７ａの基端部の左右方向外側の端部は、第１長さ面パネル１の左右方向外側の端部よりも左右方向外側に突出している。この突出部分は、第１蓋外フラップ５ａ及び第１底外フラップ７ａの先端側から基端側に向けて左右方向外側に傾斜している。この構成によると、箱体の蓋部及び底部の隅部に隙間が生じるのをより確実に抑制することができる。
【００３８】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００３９】
当該箱用シートは、一対の幅面パネルの上下方向の一方側の端縁から延出する一対の内フラップ、及びこれらの内フラップに隣接する外フラップの基端部同士が、上述のスリットによって区画されていればよく、必ずしも一対の幅面パネルの上縁から延出する一対の蓋内フラップ、及びこれらの蓋内フラップに隣接する蓋外フラップの基端部同士、並びに一対の幅面パネルの下縁から延出する一対の底内フラップ、及びこれらの底内フラップに隣接する底外フラップの基端部同士が共に上述のスリットによって区画されていなくてもよい。
【００４０】
当該箱用シートは、内フラップ及び外フラップを区画するスリットよりも幅広かつ矩形状の溝を有する場合であっても、スリットの先端は上記溝の底部のこの溝によって区画される外フラップ側の角部に接続されていなくてもよい。
【産業上の利用可能性】
【００４１】
以上のように、本考案に係る箱用シートは、組み立ての容易化を図りつつ、箱体に隙間が形成されることを抑制できるので、物品の保管用、運搬用等として適している。
【符号の説明】
【００４２】
１  第１長さ面パネル
２  第１幅面パネル
３  第１幅面パネル
４  第１幅面パネル
５ａ  第１蓋外フラップ
５ｂ  第２蓋外フラップ
５ｃ，５ｄ，６ｃ，６ｄ  基端部
６ａ  第１蓋内フラップ
６ｂ  第２蓋内フラップ
７ａ  第１底外フラップ
７ｂ  第２底外フラップ
８ａ  第１底内フラップ
８ｂ  第２底内フラップ
９  糊代
１１ａ  第１スリット
１１ｂ  第２スリット
１１ｃ  第３スリット
１２ａ〜１２ｃ  溝
１３ａ〜１３ｃ  突片
【図１】
0003221990.tif 000003
【図２】
0003221990.tif 000004
【図３】
0003221990.tif 000005
【図４】
0003221990.tif 000006
【手続補正書】
【提出日】平成31年4月23日(2019.4.23)
【手続補正１】
【補正対象書類名】実用新案登録請求の範囲
【補正対象項目名】全文
【補正方法】変更
【補正の内容】
【実用新案登録請求の範囲】
【請求項１】
左右方向の一方側から他方側に連接され、四角筒状に組み立てられる第１長さ面パネル、第１幅面パネル、第２長さ面パネル及び第２幅面パネルと、
上記第１長さ面パネル及び上記第２長さ面パネルの上下方向一方側の端縁から延出する一対の外フラップ、並びに上記第１幅面パネル及び上記第２幅面パネルの上記一方側の端縁から延出する一対の内フラップと
を備え、箱型に組立可能な箱用シートであって、
上記内フラップ及びこの内フラップに隣接する上記外フラップの基端部同士が、上記幅面パネル及び長さ面パネル間の境界線から連続して延びる直線状のスリットによって区画されており、
上記スリットが、上記内フラップ及び外フラップの基端側から先端側に向けて、このスリットによって区画される上記外フラップ側に傾斜している箱用シート。
【請求項２】
上記スリットよりも先端側で上記内フラップ及び外フラップを区画する上記スリットよりも幅広かつ矩形状の溝を有し、
上記スリットが、上記溝の底部のこの溝によって区画される外フラップ側の角部に接続されている請求項１に記載の箱用シート。
【請求項３】
上下方向を基準とする上記スリットの両端間の距離Ｄ１が１０ｍｍ以上３０ｍｍ以下である請求項１又は請求項２に記載の箱用シート。
【請求項４】
上下方向を基準とする上記スリットの傾斜角度が５°以上２０°以下である請求項１、請求項２又は請求項３に記載の箱用シート。
【請求項５】
上記一対の外フラップの上下方向長さをＬ［ｍｍ］、上記第１幅面パネルの左右方向長さをＷ［ｍｍ］、左右方向を基準とする上記スリットの両端間の距離をＤ２［ｍｍ］とした場合、下記式（１）及び（２）を満たす請求項１から請求項４のいずれか１項に記載の箱用シート。
２／Ｗ＜Ｌ≦２／Ｗ＋Ｄ２×２・・・（１）
１≦Ｄ２≦３・・・（２）